(57)【要約】【課題】和紙本来の耐久性をより強くし縫製可能な和紙にすることに着目した和紙の表面加工方法、それを用いた和紙製商品の製造方法を提供する。【解決手段】和紙の表面に任意のデザインを印刷する工程（Ｓ１０）と、印刷した和紙を乾燥させた後に縫製可能サイズに断裁する工程（Ｓ２０）と、断裁した和紙の強度を増すために表面及び裏面にこんにゃく糊を塗って乾燥させた後に手揉み作業により柔らかくして縫製可能な和紙にする工程（Ｓ３０）と、縫製可能な和紙を型紙サイズに仕上げて縫い代を作り縫製した後に所定の商品形態に縫い合わせる工程（Ｓ４０）と、最後に商品の表面にコーティング剤を塗布する工程（Ｓ５０）と、を含む。【選択図】図１
2019054832.tif 000002
【特許請求の範囲】
【請求項１】
和紙の強度を増すために表面及び裏面にこんにゃく糊を塗って乾燥させた後に手揉み作業により柔らかくして縫製可能な和紙にする工程を含む和紙の表面加工方法。
【請求項２】
前記縫製可能な和紙にする工程は、先ず和紙の表面にこんにゃく糊を刷毛で塗り乾燥させた後、和紙の裏面にもこんにゃく糊を刷毛で塗り乾燥させる作業を２回繰り返すことにより和紙の強度を増し、次の手揉み作業では１回目は男性の手で和紙を揉み柔らかさ大方と手揉み皺をつけ、２回目は女性の手で和紙を揉み皺が細かくなり綺麗な揉み紙にすることを特徴とする請求項１に記載の和紙の表面加工方法。
【請求項３】
和紙の表面に任意のデザインを印刷する工程と、印刷した和紙を乾燥させた後に縫製可能サイズに断裁する工程と、断裁した和紙の強度を増すために表面及び裏面にこんにゃく糊を塗って乾燥させた後に手揉み作業により柔らかくして縫製可能な和紙にする工程と、縫製可能な和紙を型紙サイズに仕上げて縫い代を作り縫製した後に所定の商品形態に縫い合わせる工程と、最後に商品の表面にコーティング剤を塗布する工程と、を含む和紙製商品の製造方法。
【請求項４】
前記縫製可能な和紙にする工程は、先ず和紙の表面にこんにゃく糊を刷毛で塗り乾燥させた後、和紙の裏面にもこんにゃく糊を刷毛で塗り乾燥させる作業を２回繰り返すことにより和紙の強度を増し、次の手揉み作業では１回目は男性の手で和紙を揉み柔らかさ大方と手揉み皺をつけ、２回目は女性の手で和紙を揉み皺が細かくなり綺麗な揉み紙にすることを特徴とする請求項３に記載の和紙製商品の製造方法。
【請求項５】
前記所定の商品形態に縫い合わせる工程は、先ず和紙を型紙サイズに仕上げて和紙の状態を確認しながら縫い代を作り和紙を縫製し、次に和紙の時と同様に内布を型紙サイズに仕上げて縫製し、最後に和紙と内布とファスナーを縫い合わせることを特徴とする請求項３又は請求項４に記載の和紙製商品の製造方法。
【請求項６】
前記商品は、ペンケース、メガネケース、身飾品ケース、化粧品ケースのいずれかであることを特徴とする請求項３乃至請求項５のいずれか１項に記載の和紙製商品の製造方法。
【発明の詳細な説明】
【技術分野】
【０００１】
本発明は、和紙本来の耐久性をより強くし縫製可能な和紙にすることに着目した和紙の表面加工方法、それを用いた和紙製商品の製造方法に関する。
【背景技術】
【０００２】
和紙は本来、流通している洋紙と比べると紙の繊維が長いため破けにくく折りに強く耐久性がある。ただ、和紙を用いてペンケースやメガネケースなどの袋物を作る場合に、ミシンで縫製すると、紙は裂け粉々になってしまうという問題を有している。また、布との重ね縫いやファスナーを縫い合わせるとなると、材質の違う、また重さの違う物ことも相まって縫製することは非常に困難である。したがって、和紙を使用し、異素材と縫製して商品を作るためには、和紙本来の耐久性をより強くするための工夫を行う必要があるといえる。
【０００３】
一方、日本の伝統的な和紙を使用した先行技術については、その一例として、以下のような発明が提案されている。
【０００４】
特開２０１４−８７５１号公報（特許文献１）には、和紙又は布地に描出してなる任意の絵柄、文様等に対応、適合するように素材上の当該所定箇所を凸状に隆起形成させることによって、凹凸感、立体感、延いては、重厚感、高級感を醸出し得る「和紙又は布地と漆又は柿渋とを組み合わせた工芸品及びその製造方法」が提案されている。
【０００５】
また、実用新案登録第３１９０３９５号公報（特許文献２）には、パソコンの使用後にカバーを掛けるのではなく常時掛けておける物品であって十分な通気性を有する「和紙パソコンカバー」が提案されている。
【０００６】
また、実用新案登録第３１４６６６９号公報（特許文献３）には、生地に和紙を用い、加工も天然素材のみを使用することにより自然環境保護の一面を担い、化学物質に起因するアレルギー症状の発生の抑制効果が期待でき、服飾品における自然素材の使用の発展を促し提供する「和紙素材による帽子」が提案されている。
【先行技術文献】
【特許文献】
【０００７】
【特許文献１】特開２０１４−８７５１号公報
【特許文献２】実用新案登録第３１９０３９５号公報
【特許文献３】実用新案登録第３１４６６６９号公報
【発明の概要】
【発明が解決しようとする課題】
【０００８】
本発明は、和紙を使用した付加価値の高い商品開発を行うため、本願発明者が鋭意工夫を施したものであり、和紙本来の耐久性をより強くし縫製可能な和紙にすることに着目した和紙の表面加工方法、それを用いた和紙製商品の製造方法を提供することを目的とする。
【課題を解決するための手段】
【０００９】
上記の課題を解決するために、請求項１に記載の和紙の表面加工方法にかかる発明は、和紙の強度を増すために表面及び裏面にこんにゃく糊を塗って乾燥させた後に手揉み作業により柔らかくして縫製可能な和紙にする工程を含むことを特徴とする。
【００１０】
また、請求項２に記載の発明は、請求項１に記載の前記縫製可能な和紙にする工程は、先ず和紙の表面にこんにゃく糊を刷毛で塗り乾燥させた後、和紙の裏面にもこんにゃく糊を刷毛で塗り乾燥させる作業を２回繰り返すことにより和紙の強度を増し、次の手揉み作業では１回目は男性の手で和紙を揉み柔らかさ大方と手揉み皺をつけ、２回目は女性の手で和紙を揉み皺が細かくなり綺麗な揉み紙にすることを特徴とする。
【００１１】
次に、請求項３に記載の和紙製商品の製造方法にかかる発明は、和紙の表面に任意のデザインを印刷する工程と、印刷した和紙を乾燥させた後に縫製可能サイズに断裁する工程と、断裁した和紙の強度を増すために表面及び裏面にこんにゃく糊を塗って乾燥させた後に手揉み作業により柔らかくして縫製可能な和紙にする工程と、縫製可能な和紙を型紙サイズに仕上げて縫い代を作り縫製した後に所定の商品形態に縫い合わせる工程と、最後に商品の表面にコーティング剤を塗布する工程と、を含むことを特徴とする。
【００１２】
また、請求項４に記載の発明は、請求項３に記載の前記縫製可能な和紙にする工程は、先ず和紙の表面にこんにゃく糊を刷毛で塗り乾燥させた後、和紙の裏面にもこんにゃく糊を刷毛で塗り乾燥させる作業を２回繰り返すことにより和紙の強度を増し、次の手揉み作業では１回目は男性の手で和紙を揉み柔らかさ大方と手揉み皺をつけ、２回目は女性の手で和紙を揉み皺が細かくなり綺麗な揉み紙にすることを特徴とする。
【００１３】
また、請求項５に記載の発明は、請求項３又は請求項４に記載の前記所定の商品形態に縫い合わせる工程は、先ず和紙を型紙サイズに仕上げて和紙の状態を確認しながら縫い代を作り和紙を縫製し、次に和紙の時と同様に内布を型紙サイズに仕上げて縫製し、最後に和紙と内布とファスナーを縫い合わせることを特徴とする。
【００１４】
また、請求項６に記載の発明は、請求項３乃至請求項５に記載の前記商品は、ペンケース、メガネケース、身飾品ケース、化粧品ケースのいずれかであることを特徴とする。
【発明の効果】
【００１５】
以上のように、本発明によれば、縫製可能な和紙にする工程において、最初のこんにゃく糊の塗布・乾燥作業により和紙の強度を増やすとともに、次の手揉み作業により柔らかく綺麗な揉み紙にすることにより、和紙を使用し異素材と縫製した商品を作ることができる。このため、和紙を使用した付加価値の高い様々な商品開発が実現可能になる。
【図面の簡単な説明】
【００１６】
【図１】本発明にかかる和紙製商品の製造工程の一例を示すフロー図である。
【図２】和紙製ペンケースの積層構造の一例を示す断面模式図である。
【図３】和紙製ペンケースの縫合手順（イ）の一例を示す説明図である。
【図４】和紙製ペンケースの縫合手順（ロ）の一例を示す説明図である。
【図５】和紙製ペンケースの縫合手順（ハ）の一例を示す説明図である。
【発明を実施するための形態】
【００１７】
以下、本発明の実施の一形態について図面を参酌しながら説明する。図１は、本発明にかかる和紙製商品の製造工程の一例を示すフロー図である。本発明は、和紙本来の耐久性をより強くし縫製可能な和紙にする和紙表面加工工程（図１のＳ３０）に特徴を有するものである。
【００１８】
本実施例では、和紙製ペンケースを製造する各工程の概要について説明する。和紙製ペンケースは、図１に示すように、和紙の表面に任意のデザインを印刷する印刷工程（Ｓ１０）、印刷した和紙を乾燥させた後に縫製可能サイズに断裁する工程（Ｓ２０）、断裁した和紙の強度を増すために表面及び裏面にこんにゃく糊を塗って乾燥させた後に手揉み作業により柔らかくして縫製可能な和紙にする和紙表面加工工程（Ｓ３０）、縫製可能な和紙を型紙サイズに仕上げて縫い代を作り縫製した後に所定の商品形態に縫い合わせる縫合工程（Ｓ４０）、および最後に商品の表面にコーティング剤を塗布する撥水撥油工程（Ｓ５０）、を経ることで製造される。
【００１９】
次に、和紙製ペンケースを製造する場合の詳細な作業工程の一例について説明する。図２は、和紙製ペンケースの積層構造の一例を示す断面模式図である。
【００２０】
（Ａ）印刷工程（Ｓ１０）
オリジナルデザインした意匠を製版し、和紙（例えば、厚さ約０．１５ｍｍの純楮紙）の表面にオフセット印刷を行う（図２の和紙１０、印刷層２０）。
【００２１】
（Ｂ）縫製可能サイズに断裁する工程（Ｓ２０）
和紙はインキの吸収が良いため、上記（１）の印刷後、約２日程度乾燥させた後に縫製に適したサイズに断裁を行う。
【００２２】
（Ｃ）和紙表面加工工程（Ｓ３０）
和紙の強度を増すために、こんにゃく糊を作り刷毛で塗る。こんにゃく糊は、粉末のこんにゃく粉１０ｇ対して２０００ｍｌの水を加えた鍋に、少しずつ粉を投入し攪拌しながら溶け具合を確認しながら行う。溶けたのを確認した後、攪拌しながら弱火で沸騰するまで煮詰め、沸騰した後は火を切り冷ますと、透明できれいなこんにゃく糊が出来上がる（Ｓ３０１）。
このようにして出来上がったこんにゃく糊を、印刷した和紙の表面に刷毛で塗り（Ｓ３０２）、その後完全に紙が乾燥したことを確認し（Ｓ３０３）、裏面にもこんにゃく糊を刷毛で塗り（Ｓ３０４）、乾燥させる（Ｓ３０５）。裏面が乾燥したら、再度、最初と同じ要領で表面と裏面に こんにゃく糊を刷毛で塗り乾燥したら（Ｓ３０６、Ｓ３０７、Ｓ３０８、Ｓ３０９）、素材としての和紙のベースが出来上がる（図２のこんにゃく糊層３０、３０）。
乾燥した状態の和紙は、堅く反りなどもあるため、この状態では縫製することができないので、手で揉み紙を柔らかく縫製できる素材にする。最初は男性の手で紙を揉み柔らかくなったら（Ｓ３１０）、次は女性の手で紙を揉み（Ｓ３１１）、男性と女性がペアとなり手揉み作業を行うことにより、手の大きさの違いによって異なる揉み皺をつけ細かく綺麗な揉み紙となり、縫製可能な和紙が出来上がる。
【００２３】
（Ｄ）縫合工程（Ｓ４０）
和紙を型紙サイズに仕上げ（Ｓ４０１）、和紙の状態を確認しながら縫い代を作り（Ｓ４０２）、和紙を縫製する（Ｓ４０３）。次に。和紙の時と同様に内布（洋服の仮縫い、補強部分に用いられるシーチング生地）を型紙サイズに仕上げて縫製し（Ｓ４０４）、最後に和紙と内布（図２の和紙１０、内布４０）とファスナーを縫い合わせる（Ｓ４０５）。
図３乃至図５は、和紙製ペンケースの縫合手順の一例を示す説明図である。図３に示すように、最初に（１）和紙の左右縦を縫製し、（２）和紙の左右横を縫製する。次に、図４に示すように、（３）内布の左右縦を縫製し、（４）内布の左右横を縫製する。最後に、図５に示すように、（５）和紙と内布とファスナーを縫製する。
【００２４】
（Ｅ）撥水撥油工程（Ｓ５０）
縫製した商品の表面にコーティング剤（フッ素コーティング）を筆で１回塗る（Ｓ５０１、図２のコーティング層５０）。
【００２５】
本発明にかかる和紙製商品の製造方法は、上述した和紙製ペンケースに限定されるものではなく、和紙製メガネケース、和紙製身飾品ケース、和紙製化粧品ケース等の商品の製造に用いられる。更に、本発明は、和紙を使用した付加価値の高い商品開発を行うため、和紙本来の耐久性をより強くし縫製可能な和紙にすることに着目したものであり、和紙を使用した多様な商品展開が可能になる。
【符号の説明】
【００２６】
１０  和紙
２０  印刷層
３０  こんにゃく糊層
４０  内布
５０  コーティング層
【図１】
2019054832.tif 000003
【図２】
2019054832.tif 000004
【図３】
2019054832.tif 000005
【図４】
2019054832.tif 000006
【図５】
2019054832.tif 000007